(57)【要約】【課題】ブリッジに加わる荷重を緩和させることによりブリッジの変形、破損等を防止し、安定した装着性を提供する。【解決手段】環状の一対の枠２、２、両枠２、２の内縁部間に連結されるブリッジ６、各枠２の外縁部に蝶番９を介して回動自在に連結されるテンプル８等の複数の部材からなるメガネフレーム１において、ブリッジ６よりも上方の両枠２、２間に補強部材７を連結する。両枠２、２間はブリッジ６と補強部材７との２点で支持されることになるので、使用時にブリッジ６に加わる荷重を緩和させることができ、ブリッジ６、枠２等を細く形成したデザインのものであっても、使用時にブリッジ６が変形したり、破損したりすることはなく、安定した装着性が得られることになる。【選択図】        図１
2004233761.tif 000002
【特許請求の範囲】
【請求項１】
環状の一対の枠、両枠の内縁部間に連結されるブリッジ、各枠の外縁部に蝶番を介して回動自在に連結されるテンプル等の複数の部材からなるメガネフレームであって、前記両枠間に前記ブリッジを補強する補強部材を連結したことを特徴とするメガネフレーム。
【請求項２】
前記補強部材を、前記ブリッジよりも上方の前記両枠間に連結したことを特徴とする請求項１に記載のメガネフレーム。
【請求項３】
前記補強部材を、前記ブリッジよりも上方の前記両枠の前面間に連結したことを特徴とする請求項１に記載のメガネフレーム。
【請求項４】
前記補強部材を、前記ブリッジよりも上方の前記両枠の上面間に連結したことを特徴とする請求項１に記載のメガネフレーム。
【請求項５】
前記補強部材を前記ブリッジよりも長く形成して、前記補強部材の両端部が前記ブリッジの両端部よりも外側に位置するように、前記補強部材を前記両枠間に連結したことを特徴とする請求項１から４の何れかに記載のメガネフレーム。
【発明の詳細な説明】
【０００１】
【発明の属する技術分野】
本発明は、メガネフレームに関し、特に、ブリッジを補強する機能を備えた合成樹脂製のメガネフレームに関するものである。
【０００２】
従来、合成樹脂製のメガネフレームの一例として、一対の環状の枠と、両枠の内縁部間に連結される棒状のブリッジと、各枠の外縁部に蝶番を介して回動自在に連結される棒状のテンプルとからなるメガネフレームが知られている。
【０００３】
このような構成のメガネフレームにあっては、一対の環状の枠の内縁部間を１本のブリッジによって１点で支持しているため、使用時にブリッジの枠との連結部に荷重が集中したときに、容易にブリッジが変形したり、破損したりする問題が生じる。特に、ブリッジ、枠等を細く形成したデザインのメガネフレームの場合にはそのような問題が頻繁に生じることになる。
【０００４】
上記のような問題に対応するため、合成樹脂にチタン繊維を混入させたものを成形材料として成形したメガネフレームが提案されている（例えば、特許文献１参照。）。また、ポリフェニルサルホンを主成分とし、これにポリサルホン等を混合したものを成形材料として成形したメガネフレームが提案されている（例えば、特許文献２参照。）。
【０００５】
【特許文献１】
特開２００２−１２８９１０号公報
【特許文献２】
特開平８−１０８４８６号公報
【０００６】
【発明が解決しようとする課題】
しかしながら、上記のような構成の成形材料を用いても、ブリッジ、枠等を細く形成したデザインのメガネフレームの場合には十分ではなく、使用時にブリッジが変形したり、破損したりする問題が生じるのは避けられない。
【０００７】
本発明は、上記のような従来の問題を解決したものであって、ブリッジ、枠等を細く形成したデザインのものであっても、使用時にブリッジが変形したり、破損したりする問題が生じることがなく、安定した装着性が得られるメガネフレームを提供することを目的とするものである。
【０００８】
【課題を解決するための手段】
上記のような課題を解決するために、本発明の請求項１に係るメガネフレームは、環状の一対の枠、両枠の内縁部間に連結されるブリッジ、各枠の外縁部に蝶番を介して回動自在に連結されるテンプル等の複数の部材からなるメガネフレームであって、前記両枠間に前記ブリッジを補強する補強部材を連結した手段を採用している。
また、本発明の請求項２に係るメガネフレームは、請求項１に記載のメガネフレームにおいて、前記補強部材を、前記ブリッジよりも上方の前記両枠間に連結した手段を採用している。
さらに、本発明の請求項３に係るメガネフレームは、請求項１に記載のメガネフレームにおいて、前記補強部材を、前記ブリッジよりも上方の前記両枠の前面間に連結した手段を採用している。
さらに、本発明の請求項４に係るメガネフレームは、請求項１に記載のメガネフレームにおいて、前記補強部材を、前記ブリッジよりも上方の前記両枠の上面間に連結した手段を採用している。
さらに、本発明の請求項５に係るメガネフレームは、請求項１から４の何れかに記載のメガネフレームにおいて、前記補強部材を前記ブリッジよりも長く形成して、前記補強部材の両端部が前記ブリッジの両端部よりも外側に位置するように、前記補強部材を前記両枠間に連結した手段を採用している。
【０００９】
【作用】
本発明は、上記のような手段を採用したことにより、一対の環状の枠間は、両枠の内縁部間に連結されるブリッジと両枠間に連結される補強部材との２つの部材によって支持されることになるので、使用時にブリッジに加わる荷重を緩和させることができることになる。従って、使用中にブリッジが変形したり、破損したりするようなことはなく、安定した装着性が得られることになる。この場合、採用するデザインに応じて、ブリッジの上方の両枠間に補強部材を連結し、ブリッジよりも上方の両枠の前面間に補強部材を連結し、又はブリッジよりも上方の両枠の上面間に補強部材を連結することにより、ブリッジに加わる荷重を効果的に緩和させることができる。さらに、デザインに応じて、補強部材をブリッジよりも長く形成して、両端部がブリッジの両端部よりも外側に位置するように、両枠間に連結することにより、ブリッジに加わる荷重を効果的に緩和させることができる。
【００１０】
【発明の実施の形態】
以下、図面に示す本発明の実施の形態について説明する。
図１には、本発明によるメガネフレームの一実施の形態が示されていて、このメガネフレーム１は、合成樹脂製であって、一対の環状の枠２、２と、両枠２、２の内縁部間を連結する棒状のブリッジ６と、両枠２、２間に連結される棒状の補強部材７と、各枠２の外縁部に蝶番９を介して回動自在に連結される棒状のテンプル８とを備えている。
【００１１】
各枠２は、環状をなす枠本体３と、枠本体３の内縁部の裏面側に一体に設けられる鼻当て用のパッド４と、枠本体３の外縁部に一体に設けられる裏面方向に略Ｌ形状に屈曲した鎧５とからなり、枠本体３の内側にレンズ１０が装着されるようになっている。
【００１２】
両枠２、２の内縁部間には、棒状のブリッジ６が両端部を枠２側に一体に連結された状態で設けられている。この場合、ブリッジ６は、両枠２、２間の上下方向の中間点よりもやや上方に設けられるとともに、長手方向の中間点から根元に向かって順次肉厚に形成され、枠２との連結部である根元部が最も厚く形成されている。
【００１３】
補強部材７は、ブリッジ６よりも長く形成される棒状をなすものであって、ブリッジ６よりも上方の両枠２、２間に連結されるようになっている。この場合、補強部材７は、両端部を各枠２の上縁部の前面側に、上面が両枠２、２の上面と面一となるように、一体に連結されているが、両枠２、２の上縁部の上面間に連結しても良いし、両枠２、２の内縁部間に連結しても良い。要は、デザインに応じて設ける箇所を選択すれば良い。
【００１４】
補強部材７の断面形状は、特に制限されるものではなく、例えば、円形状、三角形状、四角形状等とすることができる。補強部材７は、１本に限らず、２本以上としても良い。補強部材７は、直線状に形成しても良いし、湾曲状に形成しても良いが、視界を妨げることがない形状とすることが好ましい。
【００１５】
補強部材７の両端部を各枠２に連結する手段としては、接着剤による接着、熱融着等の方法が挙げられる。補強部材７は、成形時に両枠２、２と一体に成形しても良いが、成形金型の構造が複雑になるため、枠２等と別体に成形した後に接着剤等によって連結した方がコスト的には有利である。
【００１６】
テンプル８は、棒状をなすものであって、先端部が所定の角度で下方に屈曲されるようになっている。テンプル８の内部には金属製の芯材（図示せず）が埋設され、この芯材によってテンプル８の強度が高められるようになっている。
【００１７】
テンプル８の裏面側には蝶番９の可動部材が設けられ、この可動部材９と枠２の鎧５側に設けられる固定部材とを回動自在に係合させ、両者をねじによって連結することにより、テンプル８が枠２の鎧５側に相対的に回動自在に取り付けられるものである。
【００１８】
そして、上記のように構成したメガネフレーム１の各枠２の内側に視力矯正用、紫外線除去用等のレンズ１０を装着することにより、所謂メガネが構成されるものである。そして、このように構成したメガネを顔に装着することにより、視力を矯正したり、紫外線を除去したりすることができるものである。
【００１９】
上記のように構成したこの実施の形態によるメガネフレーム１にあっては、両枠２、２間を連結しているブリッジ６の上方の両枠２、２間に補強部材７が連結されているので、両枠２、２間をブリッジ６と補強部材７との２点で支持することができることになる。従って、使用時にブリッジ６に加わる荷重を緩和させることができるので、ブリッジ６、枠２等を細く形成したデザインのものであっても、使用中にブリッジ６が変形したり、破損したりするようなことはなく、安定した装着性が得られることになる。
【００２０】
なお、前記の実施の形態においては、合成樹脂製のメガネフレームに本発明を適用したが、金属製のメガネフレームに本発明を適用しても良いものであって、その場合にも同様の作用効果を奏するのは勿論のことである。
【００２１】
【発明の効果】
本発明は、前記のように構成したことにより、両枠間は、ブリッジと補強部材とによって２点で支持されることになるので、使用時にブリッジに加わる荷重を緩和させることができることになる。従って、ブリッジ、枠等を細く形成したデザインのものであっても、使用中にブリッジが変形したり、破損したりするようなことはなく、安定した装着性が得られることになる。
また、デザインに応じて、補強部材をブリッジよりも上方の両枠間に設け、ブリッジよりも上方の両枠の前面間に設け、又はブリッジよりも上方の両枠の上面間に設けることができるので、種々のデザインのものに対して同様の効果を付与することができる。
さらに、補強部材をブリッジよりも長く形成して、補強部材の両端部がブリッジの両端部よりも外側に位置するように、補強部材を両枠間に設けることにより、更に効果的にブリッジに加わる荷重を緩和させることができる。
【図面の簡単な説明】
【図１】本発明によるメガネフレームの一実施の形態を示した斜視図である。
【符号の説明】
１……メガネフレーム
２……枠
３……枠本体
４……パッド
５……鎧
６……ブリッジ
７……補強部材
８……テンプル
９……蝶番
１０……レンズ
【図１】
2004233761.tif 000003